【手続補正書】
【提出日】平成17年6月15日(2005.6.15)
【手続補正１】
【補正対象書類名】特許請求の範囲
【補正対象項目名】全文
【補正方法】変更
【補正の内容】
【特許請求の範囲】
【請求項１】
（ａ）アミノ酸Ａ〜Ｂの間で始まり、そしてアミノ酸Ｙ〜Ｚの間で終わるアミノ酸配列であって、Ａ、Ｂ、Ｙ、およびＺの値の組が：配列番号２または配列番号５のＡ＝３５、Ｂ＝４０、Ｙ＝５２、およびＺ＝５３；配列番号２または配列番号５のＡ＝７２、Ｂ＝７４、Ｙ＝９５、およびＺ＝９８；配列番号２または配列番号５のＡ＝９８、Ｂ＝１０１、Ｙ＝１２２、およびＺ＝１２３；並びに配列番号２または配列番号５のＡ＝１２３、Ｂ＝１２４、Ｙ＝１３６、およびＺ＝１３９からなる群より選択される、前記アミノ酸配列；
（ｂ）少なくとも２０の隣接アミノ酸を含んでなる、（ａ）のいずれかのアミノ酸配列の断片；
（ｃ）少なくとも３０の隣接アミノ酸を含んでなる、（ａ）のいずれかのアミノ酸配列の断片；
（ｄ）サイトカインポリペプチド活性を有する、（ａ）のいずれかのアミノ酸配列の断片；
（ｅ）ヘリックスＡ、ヘリックスＢ、ヘリックスＣ、および／またはヘリックスＤのアミノ酸配列を含んでなる、（ａ）のいずれかのアミノ酸配列の断片；
（ｆ）少なくとも２０のアミノ酸を含んでなり、そして（ａ）〜（ｅ）のいずれかのアミノ酸配列とアミノ酸同一性を共有するアミノ酸配列であって、アミノ酸同一性パーセントが：少なくとも７０％、少なくとも７５％、少なくとも８０％、少なくとも８５％、少なくとも９０％、少なくとも９５％、少なくとも９７．５％、少なくとも９９％、および少なくとも９９．５％からなる群より選択される、前記アミノ酸配列；
（ｇ）（ｆ）のアミノ酸配列であって、（ｆ）の前記アミノ酸配列を含んでなるポリペプチドが（ａ）〜（ｅ）のいずれかのアミノ酸配列を含んでなるポリペプチドにもまた結合する抗体に結合する、前記アミノ酸配列；並びに
（ｈ）サイトカインポリペプチド活性を有する、（ｆ）または（ｇ）のアミノ酸配列
からなる群より選択されるアミノ酸配列から本質的になる単離ポリペプチドであって；
ＷＯ  ００／７００４７（ＧｅｎｅＳｅｑ  ＡＡＢ３６６２７）、ＷＯ  ０１／５３３１２（ＧｅｎｅＳｅｑ  ＡＡＭ４０２５０）、ＴｒＥＭＢＬデータベース寄託番号Ｑ９ＢＳＴ１およびＱ９ＮＷＫＯ、ＧｅｎＢａｎｋ寄託番号ＸＰ＿０４０８５２．１およびＢＡＡ９１３８０．１、ＴｒＥＭＢＬデータベース寄託番号Ｑ９Ｐ０Ｒ６、ＧｅｎＢａｎｋ寄託番号ＮＰ＿０５７５５６、ＷＯ  ００／５５１７１（ＧｅｎｅＳｅｑ  ＡＡＢ２８０００）、並びにＷＯ  ００／６１６２０（ＧｅｎｅＳｅｑ  ＡＡＢ５１６８４）に開示されるポリペプチドいずれのアミノ酸配列も含まない、前記単離ポリペプチド。
【請求項２】
（ａ）配列番号４のアミノ酸配列；
（ｂ）アミノ酸Ａ〜Ｂの間で始まり、そしてアミノ酸Ｙ〜Ｚの間で終わるアミノ酸配列であって、Ａ、Ｂ、Ｙ、およびＺの値の組が：配列番号４のＡ＝４０、Ｂ＝４５、Ｙ＝５７、およびＺ＝５８；配列番号４のＡ＝７７、Ｂ＝７９、Ｙ＝１００、およびＺ＝１０３；配列番号４のＡ＝１０３、Ｂ＝１０６、Ｙ＝１２７、およびＺ＝１２８；並びに配列番号４のＡ＝１２８、Ｂ＝１２９、Ｙ＝１４１、およびＺ＝１４４からなる群より選択される、前記アミノ酸配列；
（ｃ）少なくとも２０の隣接アミノ酸を含んでなる、（ａ）〜（ｂ）のいずれかのアミノ酸配列の断片；
（ｄ）少なくとも３０の隣接アミノ酸を含んでなる、（ａ）〜（ｂ）のいずれかのアミノ酸配列の断片；
（ｅ）サイトカインポリペプチド活性を有する、（ａ）〜（ｂ）のいずれかのアミノ酸配列の断片；
（ｆ）ヘリックスＡおよび／またはヘリックスＤのアミノ酸配列を含んでなる、（ａ）〜（ｂ）のいずれかのアミノ酸配列の断片；
（ｇ）少なくとも２０のアミノ酸を含んでなり、そして（ａ）〜（ｆ）のいずれかのアミノ酸配列とアミノ酸同一性を共有するアミノ酸配列であって、アミノ酸同一性パーセントが：少なくとも７０％、少なくとも７５％、少なくとも８０％、少なくとも８５％、少なくとも９０％、少なくとも９５％、少なくとも９７．５％、少なくとも９９％、および少なくとも９９．５％からなる群より選択される、前記アミノ酸配列；
（ｈ）（ｇ）のアミノ酸配列であって、（ｇ）の前記アミノ酸配列を含んでなるポリペプチドが（ａ）〜（ｆ）のいずれかのアミノ酸配列を含んでなるポリペプチドにもまた結合する抗体に結合する、前記アミノ酸配列；並びに
（ｉ）サイトカインポリペプチド活性を有する、（ｇ）または（ｈ）のアミノ酸配列
からなる群より選択されるアミノ酸配列を含んでなる単離ポリペプチドであって；
ＷＯ  ００／７００４７（ＧｅｎｅＳｅｑ  ＡＡＢ３６６２７）、ＷＯ  ０１／５３３１２（ＧｅｎｅＳｅｑ  ＡＡＭ４０２５０）、ＴｒＥＭＢＬデータベース寄託番号Ｑ９ＢＳＴ１およびＱ９ＮＷＫＯ、ＧｅｎＢａｎｋ寄託番号ＸＰ＿０４０８５２．１およびＢＡＡ９１３８０．１、ＴｒＥＭＢＬデータベース寄託番号Ｑ９Ｐ０Ｒ６、ＧｅｎＢａｎｋ寄託番号ＮＰ＿０５７５５６、ＷＯ  ００／５５１７１（ＧｅｎｅＳｅｑ  ＡＡＢ２８０００）、並びにＷＯ  ００／６１６２０（ＧｅｎｅＳｅｑ  ＡＡＢ５１６８４）に開示されるポリペプチドいずれのアミノ酸配列も含まない、前記単離ポリペプチド。
【請求項３】
（ａ）配列番号６、配列番号７、配列番号８、および配列番号９からなる群より選択されるアミノ酸配列；
（ｂ）アミノ酸Ａ〜Ｂの間で始まり、そしてアミノ酸Ｙ〜Ｚの間で終わるアミノ酸配列であって、Ａ、Ｂ、Ｙ、およびＺの値の組が：配列番号６のＡ＝７３、Ｂ＝９４、Ｙ＝１０８、およびＺ＝１１８；配列番号６のＡ＝１５３、Ｂ＝１５３、Ｙ＝１６１、およびＺ＝１７３；配列番号６のＡ＝１９０、Ｂ＝１９１、Ｙ＝２１２、およびＺ＝２１２；配列番号６のＡ＝２１３、Ｂ＝２１８、Ｙ＝２５３、およびＺ＝２５４；配列番号７のＡ＝４４、Ｂ＝４７、Ｙ＝８２、およびＺ＝８３；配列番号７のＡ＝１１４、Ｂ＝１２０、Ｙ＝１３２、およびＺ＝１５２；配列番号７のＡ＝１４０、Ｂ＝１６５、Ｙ＝１７６、およびＺ＝１７８；配列番号７のＡ＝１９５、Ｂ＝１９８、Ｙ＝２４０、およびＺ＝２４３；配列番号８のＡ＝５８７、Ｂ＝５８８、Ｙ＝６１３、およびＺ＝６１５；配列番号８のＡ＝６３９、Ｂ＝６４３、Ｙ＝６６４、およびＺ＝６６９；配列番号８のＡ＝６７３、Ｂ＝６７４、Ｙ＝７００、およびＺ＝７０２；配列番号８のＡ＝７１５、Ｂ＝７１５、Ｙ＝７２４、およびＺ＝７３０；配列番号９のＡ＝２７、Ｂ＝２９、Ｙ＝３９、およびＺ＝４１；配列番号９のＡ＝６６、Ｂ＝６８、Ｙ＝８０、およびＺ＝１０１；配列番号９のＡ＝１１１、Ｂ＝１１１、Ｙ＝１３３、およびＺ＝１４３；並びに配列番号９のＡ＝１４７、Ｂ＝１４８、Ｙ＝１７７、およびＺ＝１８７からなる群より選択される、前記アミノ酸配列；
（ｃ）少なくとも２０の隣接アミノ酸を含んでなる、（ａ）〜（ｂ）のいずれかのアミノ酸配列の断片；
（ｄ）少なくとも３０の隣接アミノ酸を含んでなる、（ａ）〜（ｂ）のいずれかのアミノ酸配列の断片；
（ｅ）サイトカインポリペプチド活性を有する、（ａ）〜（ｂ）のいずれかのアミノ酸配列の断片；
（ｆ）ヘリックスＡおよび／またはヘリックスＤのアミノ酸配列を含んでなる、（ａ）〜（ｂ）のいずれかのアミノ酸配列の断片；
（ｇ）少なくとも２０のアミノ酸を含んでなり、そして（ａ）〜（ｆ）のいずれかのアミノ酸配列とアミノ酸同一性を共有するアミノ酸配列であって、アミノ酸同一性パーセントが：少なくとも７０％、少なくとも７５％、少なくとも８０％、少なくとも８５％、少なくとも９０％、少なくとも９５％、少なくとも９７．５％、少なくとも９９％、および少なくとも９９．５％からなる群より選択される、前記アミノ酸配列；
（ｈ）（ｇ）のアミノ酸配列であって、（ｇ）の前記アミノ酸配列を含んでなるポリペプチドが（ａ）〜（ｆ）のいずれかのアミノ酸配列を含んでなるポリペプチドにもまた結合する抗体に結合する、前記アミノ酸配列；および
（ｉ）サイトカインポリペプチド活性を有する、（ｇ）または（ｈ）のアミノ酸配列
からなる群より選択されるアミノ酸配列を含んでなる単離ポリペプチド。
【請求項４】
サイトカインポリペプチド活性を有する、請求項１〜３のいずれかのポリペプチド。
【請求項５】
請求項１〜４のいずれかのポリペプチドをコードする単離核酸。
【請求項６】
（ａ）配列番号１のヌクレオチド２０３〜６１９；
（ｂ）配列番号３のヌクレオチド１８７〜６１８；および
（ｃ）（ａ）〜（ｂ）のアレル変異体
からなる群より選択されるヌクレオチド配列から本質的になる、請求項５の核酸。
【請求項７】
配列番号１および配列番号３からなる群より選択されるヌクレオチド配列から本質的になる、請求項５の核酸。
【請求項８】
請求項５〜７のいずれかの核酸に対応する、単離ゲノム核酸。
【請求項９】
請求項５〜８のいずれかの核酸のヌクレオチド配列とヌクレオチド配列同一性を共有するヌクレオチド配列を含んでなる単離核酸であって、ヌクレオチド配列同一性パーセントが：少なくとも７０％、少なくとも７５％、少なくとも８０％、少なくとも８５％、少なくとも９０％、少なくとも９５％、少なくとも９７．５％、少なくとも９９％、および少なくとも９９．５％からなる群より選択され、サイトカインポリペプチド活性を有するポリペプチドをコードする、前記単離核酸。
【請求項１０】
請求項５〜９のいずれかの核酸に中程度のストリンジェンシーの条件下でハイブリダイズする、少なくとも１５ヌクレオチドの長さを有する単離核酸であって、サイトカインポリペプチド活性を有する、前記単離核酸。
【請求項１１】
請求項５〜１０のいずれかに記載の核酸を少なくとも１つ含んでなる、発現ベクター。
【請求項１２】
請求項５〜１０のいずれかに記載の核酸を少なくとも１つ含んでなる、組換え宿主細胞。
【請求項１３】
核酸が宿主細胞ゲノムに組み込まれている、請求項１２の組換え宿主細胞。
【請求項１４】
請求項５〜１０のいずれかの核酸にコードされるポリペプチドを産生する方法であって、前記ポリペプチドの発現を促進する条件下で、組換え宿主細胞を培養することを含んでなり、該組換え宿主細胞が、請求項５〜１０のいずれかに記載の核酸を少なくとも１つ含んでなる、前記方法。
【請求項１５】
前記ポリペプチドを精製することをさらに含んでなる、請求項１４の方法。
【請求項１６】
請求項１４の方法によって産生されるポリペプチド。
【請求項１７】
請求項１〜４または請求項１６のいずれかのポリペプチドに結合する、単離抗体。
【請求項１８】
モノクローナル抗体である、請求項１７の抗体。
【請求項１９】
ヒト抗体である、請求項１７の抗体。
【請求項２０】
ヒト化抗体である、請求項１７の抗体。
【請求項２１】
請求項１〜４または請求項１６のいずれかのポリペプチドの活性を阻害する、単離抗体。
【請求項２２】
請求項１〜４または請求項１６のいずれかのポリペプチドの阻害剤を設計する方法であって、こうしたポリペプチドの三次元構造を決定し、基質のありうる結合部位の三次元構造を解析し、予測される反応部位を取り込んだ分子を合成し、そして分子のポリペプチド阻害活性を決定する工程を含んでなる、前記方法。
【請求項２３】
サイトカインポリペプチド活性を改変する化合物を同定する方法であって
（ａ）請求項１〜４または請求項１６のいずれかのポリペプチドと試験化合物を混合し；そして
（ｂ）試験化合物が、前記ポリペプチドのサイトカインポリペプチド活性を改変するかどうかを決定する
ことを含んでなる、前記方法。
【請求項２４】
本発明のサイトカインポリペプチドの結合活性を阻害する化合物を同定する方法であって
（ａ）請求項１〜４または請求項１６のいずれかのポリペプチドおよび前記ポリペプチドの結合パートナーと試験化合物を混合し；そして
（ｂ）試験化合物が、前記ポリペプチドの結合活性を阻害するかどうかを決定する
ことを含んでなる、前記方法。